【手続補正書】
【提出日】平成19年7月13日(2007.7.13)
【手続補正１】
【補正対象書類名】特許請求の範囲
【補正対象項目名】全文
【補正方法】変更
【補正の内容】
【特許請求の範囲】
【請求項１】
比誘電率が３０以上の非プロトン性溶媒を２０質量％以上含有し、かつ顔料を含有することを特徴とするインクジェットインク。
【請求項２】
前記比誘電率が３０以上の非プロトン性溶媒の含有率が、４０質量％以上であることを特徴とする請求項１に記載のインクジェットインク。
【請求項３】
前記比誘電率が３０以上の非プロトン性溶媒の含有率が、５０質量％以上であることを特徴とする請求項１に記載のインクジェットインク。
【請求項４】
前記比誘電率が３０以上の非プロトン性溶媒の少なくとも一つが、下記一般式（１）で表される化合物であることを特徴とする請求項１〜３のいずれか１項に記載のインクジェットインク。
【化１】
2006045450.tif 000001
〔式中、Ｘ1は酸素原子またはＮＲ2を表し、Ｘ2は酸素原子、ＮＲ3またはＣＨ2を表す。Ｒ1は水素原子または炭素数１〜４のアルキル基を表し、Ｒ2、Ｒ3は各々炭素数１〜４のアルキル基を表す。〕
【請求項５】
下記一般式（１）で表される化合物を２０質量％以上含有し、かつ顔料を含有することを特徴とするインクジェットインク。
【化２】
2006045450.tif 000002
〔式中、Ｘ1は酸素原子またはＮＲ2を表し、Ｘ2は酸素原子、ＮＲ3またはＣＨ2を表す。Ｒ1は水素原子または炭素数１〜４のアルキル基を表し、Ｒ2、Ｒ3は各々炭素数１〜４のアルキル基を表す。〕
【請求項６】
前記一般式（１）で表される化合物の含有量が４０質量％以上であることを特徴とする請求項５に記載のインクジェットインク。
【請求項７】
前記一般式（１）で表される化合物の含有量が５０質量％以上であることを特徴とする請求項５に記載のインクジェットインク。
【請求項８】
前記一般式（１）で表される化合物が、炭酸エチレン、炭酸プロピレン及び１，３−ジメチル−２−イミダゾリジノンから選ばれる少なくとも１種であることを特徴とする請求項５〜７のいずれか１項に記載のインクジェットインク。
【請求項９】
水の含有量が、１０質量％以上、５０質量％未満であることを特徴とする請求項１〜８のいずれか１項に記載のインクジェットインク。
【請求項１０】
表面張力が、４０ｍＮ／ｍ以下であることを特徴とする請求項１〜９のいずれか１項に記載のインクジェットインク。
【請求項１１】
前記顔料が、アニオン性高分子分散剤により分散されていることを特徴とする請求項１〜１０のいずれか１項に記載のインクジェットインク。
【請求項１２】
前記顔料の少なくとも１つが、自己分散顔料であることを特徴とする請求項１〜１０のいずれか１項に記載のインクジェットインク。
【請求項１３】
請求項１〜１２のいずれか１項に記載のインクジェットインクをインクジェット記録ヘッドより吐出し、普通紙に印字することを特徴とするインクジェット記録方法。
【請求項１４】
請求項１〜１２のいずれか１項に記載のインクジェットインクをインクジェット記録ヘッドより吐出し、被記録媒体の両面に印字することを特徴とするインクジェット記録方法。
【手続補正２】
【補正対象書類名】明細書
【補正対象項目名】００１４
【補正方法】変更
【補正の内容】
【００１４】
１．比誘電率が３０以上の非プロトン性溶媒を２０質量％以上含有し、かつ顔料を含有することを特徴とするインクジェットインク。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
２．前記比誘電率が３０以上の非プロトン性溶媒の含有率が、４０質量％以上であることを特徴とする前記１に記載のインクジェットインク。
【手続補正５】
【補正対象書類名】明細書
【補正対象項目名】００１７
【補正方法】変更
【補正の内容】
【００１７】
３．前記比誘電率が３０以上の非プロトン性溶媒の含有率が、５０質量％以上であることを特徴とする前記１に記載のインクジェットインク。
【手続補正６】
【補正対象書類名】明細書
【補正対象項目名】００１８
【補正方法】変更
【補正の内容】
【００１８】
４．前記比誘電率が３０以上の非プロトン性溶媒の少なくとも一つが、下記一般式（１）で表される化合物であることを特徴とする前記１〜３のいずれか１項に記載のインクジェットインク。
【化１】
2006045450.tif 000003
〔式中、Ｘ1は酸素原子またはＮＲ2を表し、Ｘ2は酸素原子、ＮＲ3またはＣＨ2を表す。Ｒ1は水素原子または炭素数１〜４のアルキル基を表し、Ｒ2、Ｒ3は各々炭素数１〜４のアルキル基を表す。〕
【手続補正７】
【補正対象書類名】明細書
【補正対象項目名】００１９
【補正方法】変更
【補正の内容】
【００１９】
５．下記一般式（１）で表される化合物を２０質量％以上含有し、かつ顔料を含有することを特徴とするインクジェットインク。
【化２】
2006045450.tif 000004
〔式中、Ｘ1は酸素原子またはＮＲ2を表し、Ｘ2は酸素原子、ＮＲ3またはＣＨ2を表す。Ｒ1は水素原子または炭素数１〜４のアルキル基を表し、Ｒ2、Ｒ3は各々炭素数１〜４のアルキル基を表す。〕
【手続補正８】
【補正対象書類名】明細書
【補正対象項目名】００２０
【補正方法】変更
【補正の内容】
【００２０】
６．前記一般式（１）で表される化合物の含有量が４０質量％以上であることを特徴とする前記５に記載のインクジェットインク。
【手続補正９】
【補正対象書類名】明細書
【補正対象項目名】００２１
【補正方法】変更
【補正の内容】
【００２１】
７．前記一般式（１）で表される化合物の含有量が５０質量％以上であることを特徴とする前記５に記載のインクジェットインク。
【手続補正１０】
【補正対象書類名】明細書
【補正対象項目名】００２２
【補正方法】変更
【補正の内容】
【００２２】
８．前記一般式（１）で表される化合物が、炭酸エチレン、炭酸プロピレン及び１，３−ジメチル−２−イミダゾリジノンから選ばれる少なくとも１種であることを特徴とする前記５〜７のいずれか１項に記載のインクジェットインク。
【手続補正１１】
【補正対象書類名】明細書
【補正対象項目名】００２３
【補正方法】変更
【補正の内容】
【００２３】
９．水の含有量が、１０質量％以上、５０質量％未満であることを特徴とする前記１〜８のいずれか１項に記載のインクジェットインク。
【手続補正１２】
【補正対象書類名】明細書
【補正対象項目名】００２４
【補正方法】変更
【補正の内容】
【００２４】
１０．表面張力が、４０ｍＮ／ｍ以下であることを特徴とする前記１〜９のいずれか１項に記載のインクジェットインク。
【手続補正１３】
【補正対象書類名】明細書
【補正対象項目名】００２５
【補正方法】変更
【補正の内容】
【００２５】
１１．前記顔料が、アニオン性高分子分散剤により分散されていることを特徴とする前記１〜１０のいずれか１項に記載のインクジェットインク。
【手続補正１４】
【補正対象書類名】明細書
【補正対象項目名】００２６
【補正方法】変更
【補正の内容】
【００２６】
１２．前記顔料の少なくとも１つが、自己分散顔料であることを特徴とする前記１〜１０のいずれか１項に記載のインクジェットインク。
【手続補正１５】
【補正対象書類名】明細書
【補正対象項目名】００２７
【補正方法】変更
【補正の内容】
【００２７】
１３．前記１〜１２のいずれか１項に記載のインクジェットインクをインクジェット記録ヘッドより吐出し、普通紙に印字することを特徴とするインクジェット記録方法。
【手続補正１６】
【補正対象書類名】明細書
【補正対象項目名】００２８
【補正方法】変更
【補正の内容】
【００２８】
１４．前記１〜１２のいずれか１項に記載のインクジェットインクをインクジェット記録ヘッドより吐出し、被記録媒体の両面に印字することを特徴とするインクジェット記録方法。
【手続補正１７】
【補正対象書類名】明細書
【補正対象項目名】００３１
【補正方法】変更
【補正の内容】
【００３１】
本発明者は、上記課題に鑑み鋭意検討を行った結果、１）比誘電率が３０以上の非プロトン性溶媒を２０質量％以上含有し、かつ顔料を含有するインクジェットインク、あるいは２）前記一般式（１）で表される化合物を２０質量％以上含有し、かつ顔料を含有するインクジェットインクにより、インクの分散安定性に優れ、カール適性、裏抜け耐性及び乾燥性に優れ、普通紙に対する両面印字適性を有するインクジェットインクを実現できることを見出し、本発明に至った次第である。
【手続補正１８】
【補正対象書類名】明細書
【補正対象項目名】００３３
【補正方法】変更
【補正の内容】
【００３３】
本発明において、比誘電率が３０以上の非プロトン性溶媒、または前記一般式（１）で表される化合物をインク中に２０質量％以上含有させることにより、カール適性に優れ、コックリング耐性を向上させることができることを見出した。